(57)【要約】【課題】タイヤとリムとの嵌合状態が不良な場合においてもビード部の耐久性を確保できる空気入りタイヤを提供すること。【解決手段】この空気入りタイヤ１は、一対のビードコア２と、これらのビードコア２間に架け渡されたカーカス層４とを備えている。また、カーカス層４の端部がタイヤ幅方向外側に巻き返されてビードコア２を包み込んでいる。また、カーカス層４の巻き返し部に配置されてカーカス層４を補強するカーカス補強層５と、カーカス層４の端部およびカーカス補強層５の端部をタイヤ幅方向外側から覆うと共に複数層の端部補強層６とが設けられている。【選択図】        図１
2010069953.tif 000002
【特許請求の範囲】
【請求項１】
一対のビードコアと、これらのビードコア間に架け渡されたカーカス層とを備えると共に、前記カーカス層の端部がタイヤ幅方向外側に巻き返されて前記ビードコアを包み込む空気入りタイヤであって、
前記カーカス層の巻き返し部に配置されて前記カーカス層を補強するカーカス補強層と、前記カーカス層の端部および前記カーカス補強層の端部をタイヤ幅方向外側から覆って配置されると共に複数層の端部補強層とを有することを特徴とする空気入りタイヤ。
【請求項２】
前記端部補強層が簾状に配列されたスチールコード材から成る請求項１に記載の空気入りタイヤ。
【請求項３】
複数の前記端部補強層が相互に前記スチールコード材の繊維方向を交差させて配置される請求項２に記載の空気入りタイヤ。
【請求項４】
タイヤ周方向に対する前記スチールコード材の繊維方向の傾斜角度が０［ｄｅｇ］以上４０［ｄｅｇ］以下の範囲内にある請求項２または３に記載の空気入りタイヤ。
【請求項５】
前記端部補強層がコートゴム材に被覆されると共に前記コートゴム材のＪＩＳ−Ａ硬度（ＪＩＳ−Ｋ６２６３準拠）が６０以上９５以下の範囲内にある請求項１〜４のいずれか一つに記載の空気入りタイヤ。
【請求項６】
タイヤ子午線方向の断面視にて、前記ビードコアの重心位置からタイヤ径方向に引いた垂線とビードベース部との交点Ｂをとるときに、
交点Ｂから前記端部補強層のタイヤ径方向外側の端部までのタイヤ径方向の距離ＨＵと、交点Ｂから前記端部補強層のタイヤ径方向内側の端部までのタイヤ径方向の距離ＨＬと、交点Ｂを基準とした規定リムのリムフランジ部の高さＨＦとが、１．０≦ＨＵ／ＨＦ≦２．５、０．５≦ＨＬ／ＨＦ≦１．０の関係を有する請求項１〜５のいずれか一つに記載の空気入りタイヤ。
【請求項７】
交点Ｂから前記カーカス層の巻き上げ端部までのタイヤ径方向の距離Ｐ＿ＴＵＨと、交点Ｂを基準とした規定リムのリムフランジ部の高さＨＦとが、１．３＜Ｐ＿ＴＵＨ／ＨＦ＜１．８の関係を有する請求項１〜６のいずれか一つに記載の空気入りタイヤ。
【請求項８】
前記カーカス層の巻き上げ端部における前記ビードフィラーの厚さＧａが１０．０［ｍｍ］≦Ｇａ≦１６．０［ｍｍ］の範囲内にある請求項１〜７のいずれか一つに記載の空気入りタイヤ。
【請求項９】
重荷重用ラジアルタイヤに適用される請求項１〜８のいずれか一つに記載の空気入りタイヤ。
【発明の詳細な説明】
【技術分野】
【０００１】
この発明は、空気入りタイヤに関し、さらに詳しくは、タイヤとリムとの嵌合状態が不良な場合においてもビード部の耐久性を確保できる空気入りタイヤに関する。
【背景技術】
【０００２】
一部の市場では、故障したリムが溶接されて再利用されることがある。このため、低い真円度を有するリムや不均一なリムフランジ高さを有するリムが使用されるケースがある。また、ビードベース部を補修したタイヤが使用されるケースや、リムとタイヤとの間にフラップ等が挟み込まれるケースもある。これらのケースでは、タイヤの嵌合不良が生じて、走行中の故障（ビード部のセパレーション等）が発生し易い。したがって、近年の空気入りタイヤでは、タイヤとリムとの嵌合状態が不良な場合においてもビード部の耐久性を確保すべき課題がある。なお、ビード部の耐久性を確保することを課題とする従来の空気入りタイヤには、特許文献１に記載される技術が知られている。
【０００３】
【特許文献１】特開平０６−２８６４０８号公報
【発明の開示】
【発明が解決しようとする課題】
【０００４】
この発明は、タイヤとリムとの嵌合状態が不良な場合においてもビード部の耐久性を確保できる空気入りタイヤを提供することを目的とする。
【課題を解決するための手段】
【０００５】
上記目的を達成するため、この発明にかかる空気入りタイヤは、一対のビードコアと、これらのビードコア間に架け渡されたカーカス層とを備えると共に、前記カーカス層の端部がタイヤ幅方向外側に巻き返されて前記ビードコアを包み込む空気入りタイヤであって、前記カーカス層の巻き返し部に配置されて前記カーカス層を補強するカーカス補強層と、前記カーカス層の端部および前記カーカス補強層の端部をタイヤ幅方向外側から覆って配置されると共に複数層の端部補強層とを有することを特徴とする。
【０００６】
この空気入りタイヤでは、端部補強層がカーカス層の端部とカーカス補強層の端部とをタイヤ幅方向外側から覆って配置されるので、ビード部の倒れ込みが低減される。これにより、カーカス層の巻き返し端部の歪みが抑制されるので、タイヤとリムとの嵌合状態が不良な場合においてもビード部の耐久性が確保される利点がある。
【０００７】
また、この発明にかかる空気入りタイヤは、前記端部補強層が簾状に配列されたスチールコード材から成る。
【０００８】
この空気入りタイヤでは、例えば、端部補強層が有機繊維コードから成る構成と比較して、ビード部の倒れ込みが効果的に低減される。これにより、ビード部の耐久性が適正に確保される利点がある。
【０００９】
また、この発明にかかる空気入りタイヤは、複数の前記端部補強層が相互に前記スチールコード材の繊維方向を交差させて配置される。
【００１０】
この空気入りタイヤでは、ビード部の横剛性が向上して、ビード部の倒れ込みが効果的に低減される。これにより、ビード部の耐久性が適正に確保される利点がある。
【００１１】
また、この発明にかかる空気入りタイヤは、タイヤ周方向に対する前記スチールコード材の繊維方向の傾斜角度が０［ｄｅｇ］以上４０［ｄｅｇ］以下の範囲内にある。
【００１２】
この空気入りタイヤでは、スチールコード材の傾斜角度が低く設定されることにより、ビード部の剛性が増加する。これにより、ビード部の耐久性が向上する利点がある。なお、スチールコード材の傾斜角度は、０［ｄｅｇ］以上２０［ｄｅｇ］以下の範囲内にあることがより好ましい。
【００１３】
また、この発明にかかる空気入りタイヤは、前記端部補強層がコートゴム材に被覆されると共に前記コートゴム材のＪＩＳ−Ａ硬度（ＪＩＳ−Ｋ６２６３準拠）が６０以上９５以下の範囲内にある。
【００１４】
この空気入りタイヤでは、ビード部の横剛性が向上して、ビード部の倒れ込みが効果的に低減される。これにより、ビード部の耐久性が適正に確保される利点がある。
【００１５】
また、この発明にかかる空気入りタイヤは、  タイヤ子午線方向の断面視にて、前記ビードコアの重心位置からタイヤ径方向に引いた垂線とビードベース部との交点Ｂをとるときに、交点Ｂから前記端部補強層のタイヤ径方向外側の端部までのタイヤ径方向の距離ＨＵと、交点Ｂから前記端部補強層のタイヤ径方向内側の端部までのタイヤ径方向の距離ＨＬと、交点Ｂを基準とした規定リムのリムフランジ部の高さＨＦとが、１．０≦ＨＵ／ＨＦ≦２．５、０．５≦ＨＬ／ＨＦ≦１．０の関係を有する。
【００１６】
この空気入りタイヤでは、端部補強層の設置範囲が適正化されるので、端部補強層を起点としたクラックの発生が効果的に抑制される利点がある。
【００１７】
また、この発明にかかる空気入りタイヤは、交点Ｂから前記カーカス層の巻き上げ端部までのタイヤ径方向の距離Ｐ＿ＴＵＨと、交点Ｂを基準とした規定リムのリムフランジ部の高さＨＦとが、１．３＜Ｐ＿ＴＵＨ／ＨＦ＜１．８の関係を有する。
【００１８】
この空気入りタイヤでは、カーカス層４の巻き上げ端部の位置が適正化されるので、巻き上げ端部におけるビードゴムのセパレーションが抑制される利点がある。
【００１９】
また、この発明にかかる空気入りタイヤは、前記カーカス層の巻き上げ端部における前記ビードフィラーの厚さＧａが１０．０［ｍｍ］≦Ｇａ≦１６．０［ｍｍ］の範囲内にある。
【００２０】
この空気入りタイヤでは、ビードフィラーの厚さＧａが適正化されるので、ビード部の耐久性が適正に確保される利点がある。
【００２１】
また、この発明にかかる空気入りタイヤは、重荷重用ラジアルタイヤに適用される。
【００２２】
重荷重用ラジアルタイヤでは、より多くの荷重がビード部に負荷される。したがって、かかる空気入りタイヤを適用対象とすることにより、ビード部の耐久性の維持効果がより顕著に得られる利点がある。
【発明の効果】
【００２３】
この発明にかかる空気入りタイヤでは、端部補強層がカーカス層の端部とカーカス補強層の端部とをタイヤ幅方向外側から覆って配置されるので、ビード部の倒れ込みが低減される。これにより、カーカス層の巻き返し端部の歪みが抑制されるので、タイヤとリムとの嵌合状態が不良な場合においてもビード部の耐久性が確保される利点がある。
【発明を実施するための最良の形態】
【００２４】
以下、この発明につき図面を参照しつつ詳細に説明する。なお、この実施例によりこの発明が限定されるものではない。また、この実施例の構成要素には、発明の同一性を維持しつつ置換可能かつ置換自明なものが含まれる。また、この実施例に記載された複数の変形例は、当業者自明の範囲内にて任意に組み合わせが可能である。
【００２５】
図１は、この発明の実施例にかかる空気入りタイヤのビード部を示すタイヤ子午線方向の断面図である。図２〜図４は、図１に記載した空気入りタイヤの変形例を示す説明図である。図５は、この発明の実施例にかかる空気入りタイヤの性能試験の結果を示す図表である。
【００２６】
［空気入りタイヤ］
この空気入りタイヤ１は、ビードコア２と、ビードフィラー３と、カーカス層４とを含んで構成される（図１参照）。ビードコア２は、環状構造を有し、左右一対を一組として構成される。ビードフィラー３は、ビードコア２のタイヤ径方向外周に配置されてタイヤのビード部を補強する。カーカス層４は、左右のビードコア２、２間にトロイダル状に架け渡されてタイヤの骨格を構成する。また、カーカス層４の両端部は、ビードフィラー３を包み込むようにタイヤ幅方向外側に巻き返されて係止される。なお、この実施例では、カーカス層４が単層構造を有するスチール製のカーカスプライにより構成されている。
【００２７】
［ビード部の補強層］
また、空気入りタイヤ１は、カーカス補強層５をビード部に有する（図１参照）。カーカス補強層５は、カーカス層４の巻き返し部に配置されてカーカス層４を補強する。例えば、この実施例では、カーカス補強層５が単層構造を有するスチール製の補強プライにより構成されている。また、カーカス補強層５がカーカス層４の巻き返し部の外側に積層されてビードコア２を包み込むように配置されている。また、タイヤ子午線方向の断面視にて、カーカス補強層５のタイヤ幅方向外側の端部とカーカス層４の端部とが略近傍かつタイヤ径方向に位置をずらして配置されている。なお、カーカス補強層５は、カーカス層４の端部からビードコア２を包み込むように配置されていても良いし（図１参照）、カーカス層４の巻き返し部分にのみ配置されていても良い（図示省略）。
【００２８】
また、空気入りタイヤ１は、複数層の端部補強層６をビード部に有する（図１参照）。端部補強層６は、カーカス層４の端部およびカーカス補強層５の端部をタイヤ幅方向外側から覆って配置されて、ビード部を補強する。例えば、この実施例では、カーカス層４の巻き返し部にカーカス補強層５が積層されており、これらがビードコア２およびビードフィラー３を包み込むようにタイヤ幅方向外側に巻き返されている。このとき、端部補強層６がカーカス層４の端部およびカーカス補強層５の端部の双方を覆うようにビードフィラー３のタイヤ幅方向外側に配置されている。
【００２９】
また、タイヤ幅方向内側（カーカス層４側）に配置される端部補強層６よりも、タイヤ幅方向外側に配置される端部補強層６の方がタイヤ径方向に幅広く延在している。具体的には、タイヤ幅方向外側の端部補強層６の上端がタイヤ幅方向内側の端部補強層６の上端よりもタイヤ径方向外側に位置しており、且つ、タイヤ幅方向外側の端部補強層６の下端がタイヤ幅方向内側の端部補強層６の下端よりもタイヤ径方向内外側に位置している。また、上記の構成では、タイヤ幅方向外側の端部補強層６の下端がタイヤ幅方向内側の端部補強層６の下端よりもタイヤ径方向内内側に位置していても良い（図２参照）。
【００３０】
また、これに限らず、三層以上の端部補強層６が配置されても良い。例えば、幅広な端部補強層６と、この端部補強層６を両面から挟み込む一対の端部補強層６、６とが積層されて配置されても良いし（図３参照）、略同一幅を有する三枚の端部補強層６が位置をずらしつつ積層されて配置されても良い（図４参照）。
【００３１】
［効果］
以上説明したように、この空気入りタイヤ１では、端部補強層６がカーカス層４の端部とカーカス補強層５の端部とをタイヤ幅方向外側から覆って配置されるので、ビード部の倒れ込みが低減される（図１参照）。これにより、カーカス層４の巻き返し端部の歪みが抑制されるので、タイヤとリムとの嵌合状態が不良な場合においてもビード部の耐久性が確保される利点がある。例えば、タイヤが規定リムのリムフランジ高さよりも低いリムフランジ高さを有するリムに組み付けられると、タイヤとリムとの嵌合不良が発生する。すると、ビード部の倒れ込みが発生したときに、カーカス層の巻き返し端部の歪みが過大となり、ビード部の耐久性が悪化する。
【００３２】
なお、上記の構成では、タイヤ幅方向外側に位置する端部補強層６がタイヤ幅方向内側に位置する端部補強層６のタイヤ径方向外側の端部を覆って配置されることが好ましい（図１〜図４参照）。これにより、ビード部の倒れ込みが効果的に低減されるので、ビード部の耐久性が適正に確保される利点がある。
【００３３】
［付加的事項］
なお、この空気入りタイヤ１では、端部補強層６が簾状に配列されたスチールコード材から成ることが好ましい（図１参照）。かかる構成では、例えば、端部補強層が有機繊維コードから成る構成と比較して、ビード部の倒れ込みが効果的に低減される。これにより、ビード部の耐久性が適正に確保される利点がある。
【００３４】
また、上記の構成では、複数の端部補強層６、６が相互にコード材の繊維方向を交差させて配置されることが好ましい。かかる構成では、ビード部の横剛性が向上して、ビード部の倒れ込みが効果的に低減される。これにより、ビード部の耐久性が適正に確保される利点がある。
【００３５】
また、上記の構成では、タイヤ周方向に対するスチールコード材の繊維方向の傾斜角度が０［ｄｅｇ］以上４０［ｄｅｇ］以下の範囲内にあることが好ましい。かかる構成では、スチールコード材の傾斜角度が低く設定されることにより、ビード部の剛性が増加する。これにより、ビード部の耐久性が向上する利点がある。なお、スチールコード材の傾斜角度は、０［ｄｅｇ］以上２０［ｄｅｇ］以下の範囲内にあることがより好ましい。
【００３６】
また、上記の構成では、端部補強層６がコートゴム材６１に被覆され、このコートゴム材６１のＪＩＳ−Ａ硬度（ＪＩＳ−Ｋ６２６３準拠）が６０以上９５以下の範囲内にあることが好ましい。かかる構成では、ビード部の横剛性が向上して、ビード部の倒れ込みが効果的に低減される。これにより、ビード部の耐久性が適正に確保される利点がある。
【００３７】
また、タイヤ子午線方向の断面視にて、ビードコア２の重心位置からタイヤ径方向に引いた垂線とビードベース部との交点Ｂをとる。このとき、この空気入りタイヤ１では、交点Ｂから端部補強層６のタイヤ径方向外側の端部までの距離ＨＵと、交点Ｂから端部補強層６のタイヤ径方向内側の端部までの距離ＨＬと、交点Ｂを基準とした規定リムのリムフランジ部の高さＨＦが１．０≦ＨＵ／ＨＦ≦２．５、０．５≦ＨＬ／ＨＦ≦１．０の関係を有することが好ましい。かかる構成では、端部補強層６の設置範囲が適正化されるので、端部補強層を起点としたクラックの発生が効果的に抑制される利点がある。例えば、２．５＜ＨＵ／ＨＦでは、端部補強層がタイヤ最大幅位置付近まで延在するため、端部補強層を起点としたクラックが発生し易くなる。また、１．０＜ＨＬ／ＨＦでは、端部補強層の下端部がリムフランジ部よりもタイヤ径方向外側に位置するため、端部補強層によるビード部の倒れ込み抑制効果が減少して、端部補強層を起点としたクラックが発生し易くなる。
【００３８】
なお、規定リムとは、ＪＡＴＭＡに規定される「適用リム」、ＴＲＡに規定される「Design Rim」、あるいはＥＴＲＴＯに規定される「Measuring Rim」をいう。また、規定内圧とは、ＪＡＴＭＡに規定される「最高空気圧」、ＴＲＡに規定される「TIRE LOAD LIMITS AT VARIOUS COLD INFLATION PRESSURES」の最大値、あるいはＥＴＲＴＯに規定される「INFLATION PRESSURES」をいう。また、規定荷重とは、ＪＡＴＭＡに規定される「最大負荷能力」、ＴＲＡに規定される「TIRE LOAD LIMITS AT VARIOUS COLD INFLATION PRESSURES」の最大値、あるいはＥＴＲＴＯに規定される「LOAD CAPACITY」をいう。ただし、乗用車用タイヤの場合には、規定内圧が空気圧１８０［ｋＰａ］であり、規定荷重が最大負荷能力の８８［％］である。
【００３９】
また、この空気入りタイヤ１では、交点Ｂからカーカス層４の巻き上げ端部までのタイヤ径方向の距離Ｐ＿ＴＵＨと、交点Ｂを基準とした規定リムのリムフランジ部の高さＨＦとが１．３＜Ｐ＿ＴＵＨ／ＨＦ＜１．８の関係を有することが好ましい（図１参照）。かかる構成では、カーカス層４の巻き上げ端部の位置が適正化されるので、巻き上げ端部におけるビードゴムのセパレーションが抑制される利点がある。
【００４０】
また、この空気入りタイヤ１では、カーカス層４の巻き上げ端部におけるビードフィラー３の厚さＧａが１０．０［ｍｍ］≦Ｇａ≦１６．０［ｍｍ］の範囲内にあることが好ましい（図１参照）。かかる構成では、ビードフィラー３の厚さＧａが適正化されるので、ビード部の耐久性が適正に確保される利点がある。
【００４１】
また、この空気入りタイヤ１は、重荷重用ラジアルタイヤを適用対象とすることが好ましい。かかる空気入りタイヤでは、より多くの荷重がビード部に負荷される。したがって、かかる空気入りタイヤを適用対象とすることにより、ビード部の耐久性の維持効果がより顕著に得られる利点がある。
【実施例】
【００４２】
この実施例では、条件が異なる複数の空気入りタイヤについて、ビード部の耐久性能に関する性能試験が行われた（図５参照）。この性能試験では、タイヤサイズ１１００Ｒ２０の空気入りタイヤがリムサイズ２０×８．００Ｖのリム（リムフランジ部の高さが規定リムの高さの８０［％］となるよう低く改造されたリム）に組み付けられ、室内ドラム試験が行われる。また、この空気入りタイヤに８３０［ｋＰａ］の空気圧および６５．７４［ｋＮ］の荷重（中国国家標準規格(ＧＢ規格)のsingle最大荷重の２００［％］の荷重）が負荷される。そして、速度２０［ｋｍ／ｈ］の走行条件下にて、２００００［ｋｍ］走行後におけるビード部（カーカス層の巻き返し端部）の故障が観察される。このとき、セリアル側および反セリアル側におけるタイヤ周上の３２ヶ所にてビード部の故障が観察される。そして、観察結果に基づいてビード部の故障率が算出されて比較される。ビード故部の障率は、５０［％］以下であれば、効果ありと認められる。なお、ビード部の故障率に効果がある場合であっても、端部補強層の端部にクラックが発生した場合には、その効果が否定される。
【００４３】
従来例の空気入りタイヤでは、カーカス層の端部がタイヤ幅方向外側に巻き返されてビードコアを包み込んでいる。また、カーカス層の巻き返し部に配置されてカーカス層を補強するカーカス補強層が設けられている。一方、発明例１〜７の空気入りタイヤ１では、従来例の空気入りタイヤの構成に加えて、カーカス層４の端部およびカーカス補強層５の端部をタイヤ幅方向外側から覆って配置される端部補強層６が設けられている。
【００４４】
試験結果に示すように、発明例１〜７の空気入りタイヤ１では、ビード部の故障率が５０［％］以下に低減されている。また、発明例１〜３を比較すると、端部補強層６の上端位置（タイヤ径方向外側の端部位置）が適正化されることにより、端部補強層を起点としたクラックの発生が効果的に抑制されることが分かる。また、発明例４と発明例５とを比較すると、端部補強層６の下端位置（タイヤ径方向内側の端部位置）が適正化されることにより、端部補強層を起点としたクラックの発生が効果的に抑制されることが分かる。また、発明例２と発明例６とを比較すると、端部補強層６を構成するスチールコード材の傾斜角度が適正化されることにより、端部補強層を起点としたクラックの発生が効果的に抑制されることが分かる。また、発明例２と発明例７とを比較すると、端部補強層６のコートゴムの硬度が適正化されることにより、端部補強層を起点としたクラックの発生が効果的に抑制されることが分かる。
【産業上の利用可能性】
【００４５】
以上のように、この発明にかかる空気入りタイヤは、タイヤとリムとの嵌合状態が不良な場合においてもビード部の耐久性を確保できる点で有用である。
【図面の簡単な説明】
【００４６】
【図１】この発明の実施例にかかる空気入りタイヤのビード部を示すタイヤ子午線方向の断面図である。
【図２】図１に記載した空気入りタイヤの変形例を示す説明図である。
【図３】図１に記載した空気入りタイヤの変形例を示す説明図である。
【図４】図１に記載した空気入りタイヤの変形例を示す説明図である。
【図５】この発明の実施例にかかる空気入りタイヤの性能試験の結果を示す図表である。
【符号の説明】
【００４７】
１     空気入りタイヤ
２     ビードコア
３     ビードフィラー
４     カーカス層
５     カーカス補強層
６     端部補強層
【図１】
2010069953.tif 000003
【図２】
2010069953.tif 000004
【図３】
2010069953.tif 000005
【図４】
2010069953.tif 000006
【図５】
2010069953.tif 000007